(57)【要約】【課題】印画時にメディアに回転抵抗力を与えず、カセットの外部から弛みを解消することが可能なカセット及びこれを備えたプリンタを提供する。【解決手段】本発明のカセット１０は、ロール状のメディア２０を内部に収納するカセット１０であって、フランジ３０に保持されたメディア２０に制動力を伝達するためにフランジ３０に設けられたメディア歯車３０ａと、メディア歯車３０ａと噛合する、歯車単体又は複数の歯車列からなる歯車手段４０〜７０と、歯車手段４０〜７０のいずれかの歯車に噛合するトルクリミッタ８０と、カセット１０に外部操作可能に設けられ、歯車手段４０〜７０のいずれかの歯車を回転させるハンドル５０ａと、を備える。【選択図】図６
2010247392.tif 000002
【特許請求の範囲】
【請求項１】
ロール状のメディアを内部に収納するカセットであって、
フランジに保持された前記メディアに制動力を伝達するために前記フランジに設けられたメディア歯車と、
前記メディア歯車と噛合する、歯車単体又は歯車列からなる歯車手段と、
前記歯車手段のいずれかの歯車に噛合する回転抵抗付与手段と、
前記カセットに外部操作可能に設けられ、前記歯車手段のいずれかの歯車を回転させるハンドルと、を備える、カセット。
【請求項２】
ロール状のメディアを内部に収納するカセットを装着する装着部を備えたプリンタであって、
前記カセットは、フランジに保持されたメディアに制動力を伝達するために前記フランジに設けられたメディア歯車と、
前記メディア歯車と噛合する、歯車単体又は歯車列からなる歯車手段と、
前記歯車手段のいずれかの歯車に噛合する回転抵抗付与手段と、を備え、
前記装着部は突起を備え、
前記カセットを前記装着部に装着した際に、前記歯車手段の所定の歯車は前記突起に押されて噛合が外れる位置に摺動することを特徴とする、プリンタ。
【請求項３】
前記カセットは、当該カセットに外部操作可能に設けられ、前記歯車手段のいずれかの歯車を回転させるハンドルをさらに備えることを特徴とする、請求項２に記載のプリンタ。
【発明の詳細な説明】
【技術分野】
【０００１】
この発明は、ロール状のメディアを収納するメディアのカセット及びこれを備えたプリンタに関する。
【背景技術】
【０００２】
カセットに設けた印画紙やインクリボン（以下、メディアと称する）の弛み防止機構として、特許文献１には、メディアの供給側のギアに回転抵抗付与手段を噛み合わせる構成が開示されている。
【０００３】
又、特許文献２には、弛みの生じる方向の回転を止めることで弛みを防止する機構が開示されている。この事例での弛み防止機構は、印画紙を送る回転体の回転方向のうち、弛みが生じる回転方向をワンウェイクラッチで止めるものである。
【０００４】
又、特許文献３には、紙ロールに弛み防止具を直接当てる弛み防止機構が開示されている。
【先行技術文献】
【特許文献】
【０００５】
【特許文献１】特開平９−３１４９６８号公報（第２図）
【特許文献２】特開平３−２８４７８３号公報（第１図）
【特許文献３】特開２００４−８１７３８号公報（第２図）
【発明の概要】
【発明が解決しようとする課題】
【０００６】
特許文献１に記載の弛み防止機構は、回転抵抗付与手段の制動部材をメディアに常に噛み合わせており、メディアをカセットに挿入しカセットをプリンタに装着する前の状態でメディアに回転抵抗力が働き弛み防止として働く。しかし、カセットをプリンタに装着した状態でも回転抵抗力が引き続きメディアに働くため、メディアを引き出すには回転抵抗力を上回る力が必要であった。
【０００７】
又、印画が進みメディアの巻き終わり付近で巻径が小さくなった時に、巻径の大きな時に比べてより大きな力が必要になり、そのための大きな設備や多くの機構が必要になるという問題があった。
【０００８】
又、この弛み防止機構によって弛みを１００％防止することが出来ず、メディアを挿入したカセットをプリンタへ装着する前に弛みが発生すると、メディアを直接手で回して弛みをとらなければならない。
【０００９】
特許文献２に記載の弛み防止機構は、印画紙を搬送する回転体の回転方向のうち、弛みが生じる回転方向をワンウェイクラッチで止めることにより弛みの発生を防止するものである。しかし、印画時において印画紙は両方向に移動させる必要があり、一方向の回転を止めてしまうことはプリンタの性能上問題である。
【００１０】
特許文献３に記載の弛み防止機構では、弛み防止具を紙に常に押し当てているため常に回転抵抗力が紙に加わっており、この回転抵抗力を上回る力で紙を引き出す必要がある。
【００１１】
そこで、本発明は上述の問題点に鑑み、印画時にメディアに回転抵抗力を与えず、カセットの外部から弛みを解消することが可能なカセット及びこれを備えたプリンタの提供を目的とする。
【課題を解決するための手段】
【００１２】
本発明のカセットは、ロール状のメディアを内部に収納するカセットであって、フランジに保持されたメディアに制動力を伝達するためにフランジに設けられたメディア歯車と、メディア歯車と噛合する、歯車単体又は歯車列からなる歯車手段と、歯車手段のいずれかの歯車に噛合する回転抵抗付与手段と、カセットに外部操作可能に設けられ、歯車手段のいずれかの歯車を回転させるハンドルと、を備える。
【００１３】
又、本発明のプリンタは、ロール状のメディアを内部に収納するカセットを装着する装着部を備えたプリンタであって、カセットは、フランジに保持されたメディアに制動力を伝達するためにフランジに設けられたメディア歯車と、メディア歯車と噛合する、歯車単体又は歯車列からなる歯車手段と、歯車手段のいずれかの歯車に噛合する回転抵抗付与手段と、を備え、装着部は突起を備え、カセットを装着部に装着した際に、歯車手段の所定の歯車は突起に押されて噛合が外れる位置に摺動する。
【発明の効果】
【００１４】
本発明のカセットは、外部操作可能に設けられ、歯車手段のいずれかの歯車を回転させるハンドルを備える。これにより、メディアに生じた弛みをカセットの外部から解消することが出来る。
【００１５】
又、本発明のプリンタは、装着部に突起を備え、歯車手段のいずれかの歯車に噛合する回転抵抗付与手段を備え、カセットを装着部に装着した際に、歯車手段の所定の歯車は突起に押されて噛合が外れる位置に摺動することを特徴とする。これにより、カセットを装着部に装着した印画時には、回転抵抗付与手段の回転抵抗力がメディアに伝わらず、軽い力でメディアを駆動することが出来る。
【図面の簡単な説明】
【００１６】
【図１】実施の形態１に係るカセットの立体斜視図である。
【図２】実施の形態２に係るカセットの立体斜視図である。
【図３】実施の形態１に係るカセットの断面図である。
【図４】実施の形態２に係るカセットの立体斜視図である。
【図５】実施の形態１に係るカセットの断面図である。
【図６】実施の形態２に係るカセット及びプリンタの断面図である。
【図７】実施の形態２に係るカセットがプリンタに装着されていない状態を示す図である。
【図８】実施の形態２に係るカセットがプリンタに装着された状態を示す図である。
【図９】実施の形態１に係るメディアを示した図である。
【発明を実施するための形態】
【００１７】
（実施の形態１）
＜構成＞
図１は、実施の形態１のプリンタの装着部に装着するカセット１０を正面側から見た立体斜視図である。カセット１０は蓋部１０ａと底部１０ｂを備え、これによってカセット１０の内部に収納する印画紙などのメディア２０（図３参照）を外部と遮断し、メディア２０にゴミが付着したり外力によって傷がつかないようにしている。
【００１８】
図３は、カセット１０の内部構造を示す断面図である。カセット１０は内部にメディア２０を回転自在にして収納している。メディア２０の構成を図９に示す。メディア２０はロール状であって、その両端をフランジ３０に挟まれている。ロール状のメディア２０から使用に供されるメディア２０ａが引き出される。フランジ３０の略外周にはメディア２０に制動力を伝達するメディア歯車３０ａが設けられている。
【００１９】
図３において、カセット１０はさらに、歯車４０，５０，６０，７０と、トルクリミッタ８０を備える。歯車４０はメディア歯車３０に噛合し、歯車５０は歯車４０に噛合し、歯車６０は歯車５０に噛合し、歯車７０は歯車６０に噛合する。トルクリミッタ８０は歯車７０に回転抵抗付与手段として組み込まれている。このような構成により、トルクリミッタ８０の回転抵抗力が歯車４０〜７０を介してメディア２０に加わる。つまり、歯車４０〜７０よりなる歯車列はトルクリミッタ８０の回転抵抗力をメディア２０に伝える歯車手段として機能する。しかし、歯車手段は歯車列である必要はなく、単体の歯車でも機能する。
【００２０】
図５は、図３とは異なる方向のカセット１０の断面図である。カセット１０は歯車５０と連結した軸部５０ｂと、軸部５０ｂを介して歯車５０を回転させるハンドル５０ａを備えている。ハンドル５０ａはカセット１０の外側に設けられているため、カセット１０の外側からハンドル５０ａを操作して歯車５０を回転させることが可能である。
【００２１】
すなわち、実施の形態１のカセットは、ロール状のメディア２０を内部に収納するカセット１０であって、フランジ３０に保持されたメディア２０に制動力を伝達するためにフランジ３０に設けられたメディア歯車３０ａと、メディア歯車３０ａと噛合する、歯車単体又は歯車列からなる歯車手段と、歯車手段のいずれかの歯車に噛合する回転抵抗付与手段（トルクリミッタ８０）と、カセット１０に外部操作可能に設けられ、歯車手段のいずれかの歯車を回転させるハンドル５０ａと、を備える。これにより、ユーザはハンドル５０ａの操作によってメディア２０に直接触れることなくメディア２０の弛みを解消することが出来る。
【００２２】
＜動作＞
ユーザがハンドル５０ａを手で回すと、軸部５０ｂを介して歯車５０が回転する。歯車５０の回転はこれと噛合した歯車４０、さらにはメディア歯車３０ａに伝わり、メディア２０が回転する。
【００２３】
＜効果＞
カセット１０は内部に収納したメディア２０へのゴミの付着や外力による傷つきを防止する観点から、又カセット１０単体での取り扱いなどの便宜上蓋部１０ａを設けており、ユーザは直接メディア２０に触ることが出来ない構造となっている。
【００２４】
しかし、本実施の形態では既に述べたとおり以下の効果を奏する。すなわち、実施の形態１のカセットは、ロール状のメディア２０を内部に収納するカセット１０であって、フランジ３０に保持されたメディア２０に制動力を伝達するためにフランジ３０に設けられたメディア歯車３０ａと、メディア歯車３０ａと噛合する、歯車単体又は歯車列からなる歯車手段と、歯車手段のいずれかの歯車に噛合する回転抵抗付与手段（トルクリミッタ８０）と、カセット１０に外部操作可能に設けられ、歯車手段のいずれかの歯車を回転させるハンドル５０ａと、を備える。これにより、ユーザはハンドル５０ａの操作によってメディア２０に直接触れることなくメディア２０の弛みを解消することが出来る。
【００２５】
（実施の形態２）
＜構成＞
図４は、実施の形態２のプリンタの装着部に装着されるカセット１０の構成図である。実施の形態１と同一の構成要素には同一の番号を付している。実施の形態２のカセットは、実施の形態１のカセットの構成に加えて、歯車６０を次段の歯車５０と噛合する位置（図中右上方向）へ付勢するバネ６５を備えている。
【００２６】
図２はカセット１０を背面側から見た立体斜視図である。図２に示すように、実施の形態２のカセット１０は、実施の形態１のカセット１０の構成に加えて、底部１０ｂの側面に穴１０ｃを有している。
【００２７】
図７は、カセット１０をプリンタ９０の装着部に装着する前の状態を示す図である。なお、カセット１０の蓋部１０ａは図示していない。プリンタ９０はカセット１０の装着部に突起９０ａを有している。
【００２８】
＜動作＞
図８は、カセット１０をプリンタ９０の装着部に装着した状態を示す図であり、突起９０ａが穴１０ｃに嵌合している。この状態で突起９０ａは穴１０ｃを通って歯車６０を押し込み、歯車６０は次段の歯車５０との噛合が外れる。そのため、カセット１０が装着された印画時には、トルクリミッタ８０の回転抵抗力はメディア２０に伝わらず、軽い力でメディアを駆動することが出来る。図６は、プリンタ９０の装着部にカセット１０を装着した状態を示す断面図であり、突起９０が歯車６０の噛合が外れる位置に歯車６０を押し込んでバネ６５が縮んでいる状態を示している。
【００２９】
図７に示すようにカセット１０をプリンタ９０の装着部から外したときは、突起９０ａが歯車６０を押さないため、歯車６０はバネ６５の付勢力によって図６において左方向へ押されて歯車５０と噛合し、メディア２０はトルクリミッタ８０の回転抵抗力を受ける。よって、メディア２０の弛みが防止する。
【００３０】
すなわち、実施の形態２に係るプリンタは、ロール状のメディア２０を内部に収納するカセット１０を装着する装着部を備えたプリンタであって、カセット１０は、フランジ３０に保持されたメディア２０に制動力を伝達するためにフランジ３０に設けられたメディア歯車３０ａと、メディア歯車３０と噛合する、歯車単体又は複数の歯車列からなる歯車手段と、歯車手段のいずれかの歯車に噛合する回転抵抗付与手段（トルクリミッタ８０）と、を備え、装着部は突起９０ａを備え、カセット１０を装着部に装着した際に、歯車手段の所定の歯車６０は突起９０ａに押されて噛合が外れる位置に摺動することを特徴とする。これにより、カセット１０を装着部に装着した印画時には、トルクリミッタ８０の回転抵抗力がメディア２０に伝わらず、軽い力でメディア２０を駆動することが出来る。
【００３１】
さらに、カセット１０は、カセット１０に外部操作可能に設けられ、歯車手段のいずれかの歯車を回転させるハンドル５０ａを備えることを特徴とする。これにより、カセット１０を装着部に装着した印画時には、トルクリミッタ８０の回転抵抗力がメディア２０に伝わらず、軽い力でメディア２０を駆動することが出来ると同時に、ユーザはハンドル５０ａの操作によってメディア２０に直接触れることなくメディア２０の弛みを解消することが出来る。
【００３２】
＜効果＞
実施の形態２に係るプリンタによれば、既に述べた通り実施の形態１の効果に加えて以下の効果を奏する。すなわち、実施の形態２に係るプリンタは、ロール状のメディア２０を内部に収納するカセット１０を装着する装着部を備えたプリンタであって、カセット１０は、フランジ３０に保持されたメディア２０に制動力を伝達するためにフランジ３０に設けられたメディア歯車３０ａと、メディア歯車３０と噛合する、歯車単体又は複数の歯車列からなる歯車手段と、歯車手段のいずれかの歯車に噛合する回転抵抗付与手段（トルクリミッタ８０）と、を備え、装着部は突起９０ａを備え、カセット１０を装着部に装着した際に、歯車手段の所定の歯車６０は突起９０ａに押されて噛合が外れる位置に摺動することを特徴とする。これにより、カセット１０を装着部に装着した印画時には、トルクリミッタ８０の回転抵抗力がメディア２０に伝わらず、軽い力でメディア２０を駆動することが出来る。
【００３３】
さらに、カセット１０は、カセット１０に外部操作可能に設けられ、歯車手段のいずれかの歯車を回転させるハンドル５０ａを備えることを特徴とする。これにより、カセット１０を装着部に装着した印画時には、トルクリミッタ８０の回転抵抗力がメディア２０に伝わらず、軽い力でメディア２０を駆動することが出来ると同時に、ユーザはハンドル５０ａの操作によってメディア２０に直接触れることなくメディア２０の弛みを解消することが出来る。
【符号の説明】
【００３４】
１０  カセット、２０  メディア、３０  フランジ、３０ａ  メディア歯車、４０，５０，６０，７０  歯車、５０ａ  ハンドル、６５  バネ、８０  トルクリミッタ、９０  プリンタ、９０ａ  突起。
【図１】
2010247392.tif 000003
【図２】
2010247392.tif 000004
【図３】
2010247392.tif 000005
【図４】
2010247392.tif 000006
【図５】
2010247392.tif 000007
【図６】
2010247392.tif 000008
【図７】
2010247392.tif 000009
【図８】
2010247392.tif 000010
【図９】
2010247392.tif 000011